(57)【特許請求の範囲】
【請求項１】
第１の撮像素子を有する第１の撮像装置と、前記第１の撮像素子よりも画素ピッチが狭い第２の撮像素子を有する第２の撮像装置とに対して取り外し可能に装着されるレンズ装置であって、
被写体側から順に配列された、変倍およびフォーカシングにおいて固定の第１のレンズユニットと、光軸方向に移動して変倍を行う第２のレンズユニットと、変倍およびフォーカシングにおいて固定の第３のレンズユニットと、光軸方向に移動してフォーカシングと変倍に伴う像面変位を補正する第４のレンズユニットと、
前記第２のレンズユニットの位置に応じて前記第４のレンズユニットの位置を制御するために用いられる、前記第1の撮像装置と前記第２の撮像装置のそれぞれに対応する第１のデータおよび第２のデータとを記憶したデータ記憶手段と、
ズーム操作手段の操作量に応じて前記第２のレンズユニットの駆動速度を変化させるレンズ制御手段とを有し、
前記レンズ制御手段は、
前記第１の撮像装置が装着された場合には前記第１のデータを読み出して前記第１のデータを用いて前記第４のレンズユニットの位置を制御し、前記第２の撮像装置が装着された場合には前記第２のデータを読み出して前記第２のデータを用いて前記第４のレンズユニットの位置を制御し、
前記第２の撮像装置が当該レンズ装置に装着された場合のテレ端から所定ズーム位置までの範囲における前記第２のレンズユニットの最大駆動速度を、前記第１の撮像装置が当該レンズ装置に装着された場合の前記テレ端から前記所定ズーム位置までの範囲における最大駆動速度より低く設定し、前記第２の撮像装置が当該レンズ装置に装着された場合の前記所定ズーム位置からワイド端までの範囲における前記第２のレンズユニットの最大駆動速度を、前記第１の撮像装置が当該レンズ装置に装着された場合の前記所定ズーム位置から前記ワイド端までの範囲における前記最大駆動速度から変更しないように設定することを特徴とするレンズ装置。
【請求項２】
請求項１に記載のレンズ装置と、
前記第１の撮像装置又は前記第２の撮像装置とを有することを特徴とする撮像システム。
【発明の詳細な説明】
【技術分野】
【０００１】
本発明は、レンズ交換式ビデオカメラ等の撮像装置に着脱可能なレンズ装置に関する。
【背景技術】
【０００２】
撮像装置（以下、カメラという）に取り外し可能に装着される交換レンズには、変倍レンズと、該変倍レンズより像側に配置され、変倍レンズの移動に伴う像面変位を補正する補正レンズとを有するインナーフォーカスタイプのものがある。このようなインナーフォーカスタイプの交換レンズにおいては、変倍レンズの位置に応じた補正レンズの位置に関するカムデータをメモリに記憶し、該カムデータを用いて補正レンズの位置制御を行うことで、ピントが合った状態での変倍が行えるようにしている。
【０００３】
但し、インナーフォーカスタイプの交換レンズにおいては、カメラと交換レンズのバックフォーカスの不一致に起因して、ピント位置のずれとして像ぼけが発生する。特に、ワイド側においてこのような像ぼけが顕著である。
【０００４】
そこで、特許文献１には、カメラからカメラ自身のバックフォーカスに関する情報（ずれ情報）を交換レンズ側に通信し、交換レンズ側のメモリに記憶されたカムデータに補正を加えるようにしたレンズ交換式ビデオカメラシステムが提案されている。
【特許文献１】特開平９−２３３６６号公報（段落００４３〜００５５、図３〜５等）
【発明の開示】
【発明が解決しようとする課題】
【０００５】
しかしながら、特許文献１にて開示されたカメラシステムにて用いられるカムデータは、特定のカメラに搭載されている撮像系の仕様、例えば、撮像素子の解像度、該撮像素子のサイズ、該撮像系に含まれるカラーフィルタの特性を前提として決められている。このため、交換レンズが、これに記憶されたカムデータが前提としている仕様とは異なる仕様の撮像系を有するカメラに装着された場合に、カムデータを補正しきれず、変倍によってピントがずれてしまうという問題がある。
【０００６】
例えば、カムデータが前提とする撮像素子の画素ピッチよりも大幅に狭い画素ピッチを有する撮像素子が用いられている場合には、特許文献１にて開示されたカムデータの補正処理を行っても、ピント状態を維持できないおそれがある。これは、カムデータを作成するときに基準となる空間周波数に大幅な違いがあるためである。
【０００７】
したがって、撮像系の仕様が異なるカメラに対しては、それ専用の交換レンズが必要になる。これでは、ユーザーが、従来使用していたカメラとは撮像系の仕様が異なるカメラを新たに使用する場合に、従来使用していた交換レンズとは別の専用交換レンズを準備する必要が生じる。
【０００８】
本発明は、撮像系の仕様が異なる複数の撮像装置のいずれに使用した場合でも、変倍に伴うピントずれを少なくすることができるようにしたレンズ装置および撮像システムを提供することを目的の１つとしている。
【課題を解決するための手段】
【００１０】
本発明のレンズ装置は、第１の撮像素子を有する第１の撮像装置と、該第１の撮像素子よりも画素ピッチが狭い第２の撮像素子を有する第２の撮像装置とに対して取り外し可能に装着される。該レンズ装置は、被写体側から順に配列された、変倍およびフォーカシングにおいて固定の第１のレンズユニットと、光軸方向に移動して変倍を行う第２のレンズユニットと、変倍およびフォーカシングにおいて固定の第３のレンズユニットと、光軸方向に移動してフォーカシングと変倍に伴う像面変位を補正する第４のレンズユニットとを有し、更に第２のレンズユニットの位置に応じて第４のレンズユニットの位置を制御するために用いられる、第1の撮像装置と第２の撮像装置のそれぞれに対応する第１のデータおよび第２のデータとを記憶したデータ記憶手段と、ズーム操作手段の操作量に応じて第２のレンズユニットの駆動速度を変化させるレンズ制御手段とを有する。そして、該レンズ制御手段は、第１の撮像装置が装着された場合には第１のデータを読み出して第１のデータを用いて第４のレンズユニットの位置を制御し、第２の撮像装置が装着された場合には第２のデータを読み出して第２のデータを用いて第４のレンズユニットの位置を制御し、第２の撮像装置が当該レンズ装置に装着された場合のテレ端から所定ズーム位置までの範囲における第２のレンズユニットの最大駆動速度を、第１の撮像装置が当該レンズ装置に装着された場合のテレ端から所定ズーム位置までの範囲における最大駆動速度より低く設定し、第２の撮像装置が当該レンズ装置に装着された場合の所定ズーム位置からワイド端までの範囲における第２のレンズユニットの最大駆動速度を、第１の撮像装置が当該レンズ装置に装着された場合の所定ズーム位置からワイド端までの範囲における最大駆動速度から変更しないように設定することを特徴とする。
【００１１】
なお、上記レンズ装置と第１又は第２の撮像装置とを有する撮像システムも本発明の一側面を構成する。
【発明の効果】
【００１３】
本発明によれば、該レンズ装置が装着された撮像装置の判別結果（つまりは撮像装置が有する撮像素子の画像ピッチ）に応じて、最大の変倍レンズ駆動速度が変更される。したがって、撮像素子の画像ピッチが異なる複数の撮像装置のいずれに使用した場合でも、変倍に伴うピントずれを確実に少なくすることができ、撮像装置に高画質な映像を撮影させることができる。
【発明を実施するための最良の形態】
【００１４】
以下、本発明の実施例について図面を参照しながら説明する。
【実施例１】
【００１５】
図１は、本発明の実施例１である撮像システムの構成を示している。該システムは、レンズ装置としての交換レンズ１２７と、この交換レンズ１２７が取り外し可能に（交換可能に）装着される撮像装置としてのビデオカメラ１２８とにより構成されている。図１に示すビデオカメラ１２８は、ハイビジョンテレビ信号（ＨＤ映像）を出力するＨＤカメラ（第２の撮像装置）である。但し、本実施例の交換レンズ１２７は、図４に示すように、標準テレビ信号（ＳＤ映像）を出力するＳＤカメラ（第１の撮像装置）１２８′にも装着することができる。これにより、図４に示すようなビデオカメラシステム１８０を構築することができる。
【００１６】
交換レンズ１２７は、被写体側から順に、変倍およびフォーカシングにおいて固定の第１レンズユニット１０１と、光軸方向に移動して変倍を行う第２レンズユニット（以下、変倍レンズという）１０２と、絞り１０３と、変倍およびフォーカシングにおいて固定の第３レンズユニット１０４とを有する。さらに、第３レンズユニット１０４よりも像側には、光軸方向に移動してフォーカシングと変倍に伴う像面変位の補正とを行う第４レンズユニット（以下、補正レンズという）１０５を有する。
【００１７】
変倍レンズ１０２および補正レンズ１０５は、エンコーダ等の絶対位置検出器１０２Ａ，１０５Ａによりそれぞれの絶対位置が検出され、その検出情報は交換レンズ１２７内に設けられたレンズ制御手段としてのレンズマイクロコンピュータ１１６に供給される。
【００１８】
交換レンズ１２７を通過した被写体からの光束は、カメラ１２８に設けられたＣＣＤセンサやＣＭＯＳセンサ等の撮像素子１０６の受光面上に到達する。撮像素子１０６の前面には、光学ローパスフィルタ１０６ａが設けられている。撮像素子１０６と光学ローパスフィルタ１０６ａ、および撮像素子１０６からの出力信号を処理する後述する増幅器１０９やカメラ信号処理回路１１２により撮像系が構成される。
【００１９】
なお、本実施例では、１つの撮像素子によってＲＧＢの各色光を光電変換する場合について説明するが、本発明は、これに限らず、３つの撮像素子によってＲＧＢの各色光を光電変換する場合にも適用することができる。
【００２０】
撮像素子１０６の光電変換機能によって出力された信号は、増幅器１０９で最適なレベルに増幅され、カメラ信号処理回路１１２へと入力される。カメラ信号処理回路１１２は、増幅器１０９から入力された信号を、ハイビジョンテレビ信号（ＨＤ映像）に変換し、不図示の記録媒体（磁気テープ、半導体メモリ、光ディスク等）に記録する。
【００２１】
なお、詳細は図示しないが、図４に示したＳＤカメラ１２８′においては、撮像素子からの信号は、最適なレベルに増幅され、カメラ信号処理回路にて標準テレビ信号（ＳＤ映像）に変換され、不図示の記録媒体に記録される。
【００２２】
また、カメラ信号処理回路１１２から出力されたテレビ信号はＡＦ信号処理回路１１３に入力される。
【００２３】
ＡＦ信号処理回路１１３では、テレビ信号から映像のコントラスト状態を示すＡＦ評価値を生成する。該ＡＦ評価値信号は、カメラ１２８内に設けられた撮像制御手段としてのカメラマイクロコンピュータ１１４によってＡＦデータ読み出しプログラム１１５を用いて読み出され、レンズマイクロコンピュータ１１６により送信される。ここで、カメラマイクロコンピュータ１１４とレンズマイクロコンピュータ１１６とは、カメラ１２８と交換レンズ１２７とのマウント結合部に設けられた通信端子１９０を介して、相互に通信が可能である。
【００２４】
カメラマイクロコンピュータ１１４は、ズームスイッチ１３０およびＡＦスイッチ１３１の状態を読み込み、該状態を示す操作情報をレンズマイクロコンピュータ１１６に送信する。
【００２５】
レンズマイクロコンピュータ１１６は、該操作情報によってＡＦスイッチ１３１が押されておらず、かつズームスイッチ１３０が押されていると判断したときは、変倍レンズ１０２をズームスイッチ１３０が押されている方向（テレ又はワイド方向）に駆動する。具体的には、ズームモータドライバ１２２に信号を送り、ズームアクチュエータ１２１を駆動することによって、変倍レンズ１０２を駆動する。
【００２６】
このとき、レンズマイクロコンピュータ１１６は、制御部１１９に格納されたズーム駆動プログラムに従い、レンズマイクロコンピュータ１１６内のカムデータメモリ１５１に予め記憶されたフォーカスカムデータに基づいて、補正レンズ１０５を駆動する。具体的には、フォーカスモータドライバ１２６に信号を送り、フォーカスアクチュエータ１２５を駆動することによって、補正レンズ１０５を駆動する。これにより、像面変位、つまりはピントずれ（デフォーカス）がほとんどない状態での変倍が行われる。
【００２７】
本実施例のように、変倍レンズ１０２よりも補正レンズ１０５が像側に配置されているインナーフォーカスタイプのレンズでは、変倍時にピントを維持するための補正レンズ１０５の位置は被写体距離によって変化する。このため、フォーカスカムデータは、図２（ａ）に示すように、変倍レンズ１０２の絶対位置ごとおよび被写体距離ごとの補正レンズ１０５の駆動位置を示す。そして、制御部（ズーム駆動プログラム）１１９は、位置検出器１０２Ａ，１０５Ａにより変倍レンズ１０２および補正レンズ１０５の絶対位置を検出する。そして、該絶対位置情報によって選択されたフォーカスカムデータを用いて、フォーカスアクチュエータ１２５の回転方向および回転量を決定する。
【００２８】
また、このとき、制御部（ズーム駆動プログラム）１１９は、カメラマイクロコンピュータ１１４から送信されてきたＡＦ評価信号を参照し、該ＡＦ評価値が最大になる位置を保ちつつ変倍動作を行う。これにより、フォーカスカムデータを用いた補正レンズ１０５の駆動方向の誤判定を防止することができる。
【００２９】
ＡＦスイッチ１３１が押され、ズームスイッチ１３０が押されていないときは、レンズマイクロコンピュータ１１６内のＡＦ制御部１１７がオートフォーカス動作を行う。具体的には、ＡＦ制御部１１７は、ＡＦ評価値信号が最大になるようにフォーカスモータドライバ１２６およびフォーカスアクチュエータ１２５を介して補正レンズ１０５を駆動する。これにより、オートフォーカスが行われる。
【００３０】
ここまで、説明したＨＤカメラ１２８の構成は、出力するテレビ信号の方式が異なること以外は、ＳＤカメラ１２８′の構成と同様である。ただし、撮像系を構成する撮像素子１０６の解像度、該撮像素子１０６のサイズ、光学ローパスフィルタ１０６ａの厚さ等の仕様が異なる。
【００３１】
ここで、交換レンズ１２７において、上述したように変倍時にフォーカスカムデータに基づいて補正レンズ１０５の位置を制御する場合においては、正確なバックフォーカスを確保するためのフォーカスカムデータを定めなければならない。そして、該フォーカスカムデータは、予め所定の条件下で設定された基本フォーカスカムデータを所定の補正値を用いて補正することにより定められる。
【００３２】
ここでいう所定の補正値とは、交換レンズ１２７自身で持っている補正値（以下、レンズ側補正値という）と、カメラ１２８から伝達される補正値（以下、カメラ側補正値という）と、後述するデフォーカス補正データとの合計値である。
【００３３】
レンズ側補正値とは、例えば、該交換レンズの製造誤差に起因するバックフォーカス（以下、ＢＦと略す）のばらつきを補正するための固定的な補正値と、温度変化に起因したＢＦ変動を補正するための変動的な補正値との合計値である。
【００３４】
同様に、カメラ側補正値は、カメラ１２８の製造誤差に起因するＢＦのばらつきを補正するための固定的な補正値（以下、ばらつき測定データという）と、温度変化に起因したＢＦ変動を補正するための変動的な補正値（以下、温度補償データという）とを含む。温度補償データは、温度補償制御部１４１において、温度センサ１４０によって検出された温度に応じたデータとして生成される。
【００３５】
本実施例では、ＳＤカメラの撮像系の仕様に合った基本フォーカスカムデータをレンズ側補正値により補正したフォーカスカムデータとして、カメラＡ用フォーカスカムデータ（第１のデータ）１５１ａを予めカムデータメモリ（データ記憶手段）１５１に記憶させておく。さらに、ＨＤカメラの撮像系の仕様に合ったカメラＢ用フォーカスカムデータ（第２のデータ）１５１ｂを予めカムデータメモリ１５１に記憶させておく。カメラＢ用フォーカスカムデータ１５１ｂは、カメラＡ用フォーカスカムデータ１５１ａをデフォーカス補正データを用いて補正したデータである。
【００３６】
デフォーカス補正データは、交換レンズ１２７のフォーカスカムデータがカメラの撮像系の仕様に対応していないために発生する変倍時のピントずれを補正するための補正データである。本実施例の場合、カメラＡ用フォーカスカムデータ１５１ａが標準（ＳＤ）映像撮影仕様の撮像系を有するＳＤカメラに装着されることを前提として作成されている。このため、このカメラＡ用フォーカスカムデータ１５１ａを交換レンズ１２７がＨＤカメラに装着された場合に使用して変倍時に補正レンズ１０５を制御しても、ピントずれが発生してしまう。したがって、このようなピントずれを生じさせないように、デフォーカス補正データを用いてカメラＢ用フォーカスカムデータ１５１ｂを求めておく必要がある。
【００３７】
ここで、フォーカスカムデータについて説明する。ＳＤカメラの仕様に対応した基本フォーカスカムデータは、ＳＤカメラに使用される撮像素子のナイキスト周波数に関係し、ＳＤカメラに対応した空間周波数によって計算されたものが用いられる。
【００３８】
この基本フォーカスカムデータに対して、交換レンズ１２７を基準ＳＤカメラに装着し、該交換レンズ１２７の製造上のばらつきや温度変化に起因した変倍時のピントずれ量（デフォーカス量）を測定する。この測定結果から該デフォーカスを許容範囲に収めるために必要なバックフォーカス補正の固定的および変動的補正値をそれぞれ決定してレンズ側補正値とする。そして、基本フォーカスカムデータを該レンズ側補正値により補正してカメラＡ用フォーカスカムデータ１５１ａとする。
【００３９】
しかし、ＨＤカメラに搭載される撮像素子は、ＳＤカメラに比べて画素が狭ピッチ化（高画素化）しているのが普通である。そして、これに伴い、撮像素子のナイキスト周波数も上がる。したがって、ＳＤカメラを前提としたカメラＡ用フォーカスカムデータ１５１ａでは、ＨＤカメラでベストピント位置が得られない。
【００４０】
この原因として、交換レンズが有する球面収差による影響が挙げられる。交換レンズが装着されるカメラがＳＤカメラからＨＤカメラに変わって撮像素子が挟ピッチ化した場合、ＳＤカメラではベストデフォーカスとされていた最小錯乱円の位置において高周波の解像が得られず、像ぼけとして認識されてしまう。これにより、ベストデフォーカス位置が芯最小位置の方向にずれるための現象である。
【００４１】
一般に、芯最小位置では、解像は最高の状態になるが、低周波の領域の画像に対してはコントラストの低い状態となることが知られている。しかし、この分のＭＴＦ等の落ち込みは、撮像素子からの出力信号を処理するカメラ信号処理部１１２にて補正することが可能であり、高い周波数まで十分に解像された好ましい画像を得ることができる。
【００４２】
したがって、本実施例では、レンズマイクロコンピュータ１１６は、該交換レンズ１２７が装着されたカメラの種類（機種）、すなわちＳＤカメラかＨＤカメラかを識別する。この識別は、交換レンズ１２７がカメラ１２８に装着された際に、カメラマイクロコンピュータ１１４に内蔵された機種情報メモリ１６０から受信した機種情報に基づいて行われる。
【００４３】
そして、カメラがＳＤカメラの場合には、レンズマイクロコンピュータ１１６は、カムデータメモリ１５１からカメラＡ用フォーカスカムデータ１５１ａを読み出す。また、カメラがＨＤカメラの場合には、レンズマイクロコンピュータ１１６は、カムデータメモリ１５１からカメラＢ用フォーカスカムデータ１５１ｂを読み出す。
【００４４】
図２（ｂ）には、カメラＡ用フォーカスカムデータ１５１ａ（実線）とカメラＢ用フォーカスカムデータ１５１ｂ（点線）との例を示す。カメラＡ用フォーカスカムデータ１５１ａが前提とするＢＦに比べて、カメラＢ用フォーカスカムデータ１５１ｂが前提とするＢＦが伸びている場合は、この伸び分（デフォーカス補正データ）をカメラＡ用フォーカスカムデータ１５１ａから差し引く。そして、全体として下方にシフトしたカメラＢ用フォーカスカムデータ１５１ｂを求める。また、ＢＦが縮んだ場合は、この縮み分をカメラＡ用フォーカスカムデータ１５１ａに加えて、全体として上方にシフトしたカメラＢ用フォーカスカムデータ１５１ｂを求める。
【００４５】
これにより、交換レンズ１２７をＨＤカメラ１２８とＳＤカメラ１２８′のいずれに装着した場合でも、変倍時の像面変動、つまりはデフォーカスをほとんどなくすることができ、高解像度の映像を撮影することができる。
【００４６】
なお、ベストデフォーカス位置のずれ量は、ズーム位置、補正レンズの位置（フォーカス位置）、球面収差の倒れ量の違いおよび絞り値によって変化する。このため、位置検出器１０２Ａからのズーム位置情報１５１、位置検出器１０５Ａからのフォーカス位置情報１５２、さらに不図示の絞り位置検出器からの絞り値情報に基づいて、フォーカスカムデータを補正する処理を行ってもよい。これにより、より精度の高いピント補正を行うことができる。
【００４７】
次に、本実施例において、ＨＤカメラ１２８からカメラ側補正値を交換レンズ１２７側に伝達する通信動作について説明する。この動作は、ＳＤカメラ１２８′からカメラ側補正値を交換レンズ１２７側に伝達する場合も同様である。
【００４８】
カメラ１２８における構造部品の製造精度、取り付け誤差等により発生するＢＦのばらつきは、ばらつき測定データとしてカメラ１２８の製造段階で測定される。このばらつき測定データは、書き換え可能なばらつきデータメモリ１４２に書き込まれる。撮影動作中に発生する環境温度の変化は、カメラ１２８に設けられた温度センサ１４０によって計測し、カメラマイクロコンピュータ１１４内の温度補償制御部１４１の作動プログラムによってＢＦの変動量データ、つまりは温度補償データに変換される。そして、カメラマイクロコンピュータ１１４は、ばらつき測定データと温度補償データの合計値をカメラ側補正値としてレンズマイクロコンピュータ１１６に送信する。
【００４９】
さらに、カメラマイクロコンピュータ１１４は、レンズマイクロコンピュータ１１６に対して、該カメラ１２８の機種情報（ＨＤカメラであることを示す情報）を送信する。また、ズームスイッチ１３０が押された場合には、カメラマイクロコンピュータ１１４は、レンズマイクロコンピュータ１１６に対して、該ズームスイッチ１３０が押された方向（テレ方向かワイド方向）かを示すズーム指令を送信する。
【００５０】
レンズマイクロコンピュータ１１６において、制御部（ズーム駆動プログラム）１１９は、送信されてきた機種情報に基づいて、該交換レンズ１２７が装着されているカメラがＨＤカメラかＳＤカメラかを判別する。そして、該判別結果に基づいて、カメラＡ用フォーカスカムデータ１５１ａとカメラＢ用フォーカスカムデータ１５１ｂのうち使用するデータを選択する。また、カメラ側補正値に基づいて、選択したフォーカスカムデータを補正する。
【００５１】
次に、図３（ａ），（ｂ）のフローチャートを用いて上記通信および処理の流れを説明する。図３（ａ）はレンズマイクロコンピュータ１１６の処理を、図３（ｂ）はカメラマイクロコンピュータ１１４の処理を示している。
【００５２】
図３（ｂ）のステップ１０において、カメラマイクロコンピュータ１１４は、交換レンズ１２７が装着されると、レンズマイクロコンピュータ１１６との初期通信を行う。この初期通信の中には、機種情報とカメラ側補正値とが含まれる。
【００５３】
図３（ａ）のステップ１において、レンズマイクロコンピュータ１１６は、カメラマイクロコンピュータ１１４との初期通信を行い、上記機種情報とカメラ側補正値を受け取る。そして、ステップ２において、該機種情報に基づいて、カメラ１２８がＨＤカメラかＳＤカメラかを判別する。
【００５４】
ＨＤカメラの場合は、ステップ３に進み、カムデータメモリ１５１からカメラＢ用フォーカスカムデータ１５１ｂを読み出す。そして、該カメラＢ用フォーカスカムデータ１５１ｂをカメラ側補正値によって補正する。また、ＳＤカメラの場合は、ステップ４に進み、カムデータメモリ１５１からカメラＡ用フォーカスカムデータ１５１ａを読み出す。そして、該カメラＡ用フォーカスカムデータ１５１ａをカメラ側補正値によって補正する。
【００５５】
図３（ｂ）のステップ１１において、カメラマイクロコンピュータ１１４は、ズームスイッチ１３０が操作されたか否かを判別する。操作されたときは、ステップ１２において、その操作方向（テレ方向かワイド方向）かを示すズーム指令をレンズマイクロコンピュータ１１６に送信する。
【００５６】
図３（ａ）のステップ５において、レンズマイクロコンピュータ１１６は、ズーム指令を受信すると、ステップ６に進み、該ズーム指令が示す方向にズーミング（変倍レンズ１０２と補正レンズ１０５の駆動）を行う。
【実施例２】
【００５７】
以下、本発明の実施例２について説明する。実施例１では、交換レンズ１２７において、カメラの機種を判別し、カメラＡ用フォーカスカムデータとカメラＢ用フォーカスカムデータのうち一方を選択する場合について説明した。
【００５８】
しかし、ＨＤカメラとＳＤカメラとの撮像素子１０６の画素数の違いによって、光学ローパスフィルタ１０６ａの厚みにも違いが生じる。このような場合、カメラ内に不図示のダミーガラスを設けることが一般的であるが、光路長を完全に等価にすることが難しい。
【００５９】
そこで、本実施例では、図５に示すように、カムデータメモリ１５１に、実施例１で説明したフォーカスカムデータに加えて、カメラＡ用フランジバックデータ１５１ｃとカメラＢ用フランジバックデータ１５１ｄも合わせて記憶させている。
【００６０】
そして、レンズマイクロコンピュータ１１６は、図３のステップ２で交換レンズ１２７が装着されたカメラを判別し、判別結果に基づいてフォーカスカムデータとフランジバックデータをカメラＡ用かカメラＢ用に切り換えて使用する（ステップ３，４）。
【実施例３】
【００６１】
ＨＤカメラのような高解像度カメラを使用する場合、ＳＤカメラを使用する場合に比べて焦点深度が浅くなる。また、一般に、４群リアフォーカスレンズのテレ端側では、２群である変倍レンズ１０２の移動量に対して、フォーカスカムデータに従った補正レンズ１０５の移動量が大きくなる。このような場合、最大ズーム速度（つまりは変倍レンズ１０２の最大駆動速度）が大きいと、補正レンズ１０５のフォーカスカムデータに対する追従精度が悪化し、ピントずれが発生する。
【００６２】
このため、本発明の実施例３である交換レンズ１２７では、ＨＤカメラを使用する場合は、ＳＤカメラを使用する場合に対して、テレ端から該テレ端付近の所定ズーム位置までの範囲における最大ズーム速度を落とす（低くする）ようにしている。ズームスイッチ１３０の操作量に応じてズーム速度は可変であるため、ここにいう最大ズーム速度はズームスイッチ１３０の操作量を最大としたときのズーム速度である。なお、所定ズーム位置からワイド端までの範囲では、ＨＤカメラを使用する場合の所定ズーム位置からワイド端までの範囲での最大ズーム速度を、ＳＤカメラを使用する場合の所定ズーム位置からワイド端までの範囲での最大ズーム速度に対して変更しないようにしている。
【００６３】
図３（ａ）のステップ２において、ＳＤカメラと判別した場合は、ステップ４においてカメラＡ用フォーカスカムデータを選択するとともに、第１の最大ズーム速度を設定する。一方、ＨＤカメラと判別した場合は、ステップ３においてカメラＢ用フォーカスカムデータを選択するとともに、第１の最大ズーム速度よりも低い第２の最大ズーム速度を設定する。
【００６４】
但し、ＨＤカメラを使用する場合に、ズーム範囲の全域で最大ズーム速度を落とすようにしてもよい。
【００６５】
以上、本発明の好ましい実施例について説明したが、本発明はこれらの実施例に限定されず、請求項に記載した内容の範囲内で種々の変形が可能である。
【図面の簡単な説明】
【００６６】
【図１】本発明の実施例１であるビデオカメラシステムの構成を示すブロック図。
【図２】実施例１におけるフォーカスカムデータを示す図。
【図３】実施例１における処理動作を示すフローチャート。
【図４】実施例１のビデオカメラシステムの構成例を示す概略図。
【図５】本発明の実施例２であるビデオカメラシステムの構成を示す概略図。
【符号の説明】
【００６７】
１０６  撮像素子
１０６ａ  カラーフィルタ
１１４  カメラマイクロコンピュータ
１１６  レンズマイクロコンピュータ
１５１  カムデータメモリ
１２７  交換レンズ
１２８，１２８′  ビデオカメラ
１４１  温度補償制御部
１４２  ばらつきデータメモリ
１６０  機種情報メモリ
【図４】
0004612886.tif 000002
【図１】
0004612886.tif 000003
【図２】
0004612886.tif 000004
【図３】
0004612886.tif 000005
【図５】
0004612886.tif 000006